(57)【要約】  【課題】機械室背面に取り外し可能な機械室カバーを備えた冷蔵庫において、機械室カバーの取り付け作業効率を高める。  【解決手段】冷蔵庫本体の背面下部に形成した機械室と、機械室の背面に機械室カバー２５とを備えた冷蔵庫であって、機械室カバー２５を冷蔵庫本体の背面に略平行にスライドさせて脱着可能にするガイドレール１０を備えたことにより、機械室カバー２５の取り付け作業効率を高めることができる。また、ガイドレール１０を外箱と一体成形、またはガイドレール１０を外箱下部の左右に配置した補強用鉄板と一体成形したことにより、あらたにガイドレール部品を必要とせず、安価な構造で作業効率の向上が図れる。【選択図】図２
2009079817.tif 000002
【特許請求の範囲】
【請求項１】
冷蔵庫本体の背面下部に形成した機械室と、前記機械室の背面に機械室カバーとを備えた冷蔵庫であって、前記機械室カバーを前記冷蔵庫本体の背面に略平行にスライドさせて脱着可能にするガイドレールを備えた冷蔵庫。
【請求項２】
前記冷蔵庫本体は外箱と内箱で構成される空間に断熱材が充填されてなり、前記ガイドレールを前記外箱と一体成形した請求項１に記載の冷蔵庫。
【請求項３】
前記冷蔵庫本体は外箱と内箱で構成される空間に断熱材が充填されてなり、前記ガイドレールを前記外箱下部の左右に配置した補強用鉄板と一体成形した請求項１に記載の冷蔵庫。
【請求項４】
前記ガイドレールの上側開口端部に傾斜部を設けた請求項１から３のいずれか一項に記載の冷蔵庫。
【請求項５】
前記機械室カバーの下側端部を前記機械室側に曲折させた請求項１から４のいずれか一項に記載の冷蔵庫。
【請求項６】
前記機械室カバーの上下位置を規制する係止部を前記ガイドレール下側端部に設けた請求項１から５のいずれか一項に記載の冷蔵庫。
【請求項７】
前記機械室は圧縮機を載置して固定する圧縮機載置板を備え、前記機械室カバーの上下位置を規制する係止部を前記圧縮機載置板に設けた請求項１から６のいずれか一項に記載の冷蔵庫。
【請求項８】
前記機械室カバーの上下位置を規制する係止部を前記機械室カバーの上側端部に設けた請求項１から７のいずれか一項に記載の冷蔵庫。
【請求項９】
前記機械室カバーの前記ガイドレール側の端面を折り曲げ形状にした請求項１から８のいずれか一項に記載の冷蔵庫。
【発明の詳細な説明】
【技術分野】
【０００１】
本発明は、冷蔵庫下部に形成した機械室の機械室カバーの取り付け方法に関するものである。
【背景技術】
【０００２】
従来から、冷蔵庫の機械室背面に配置した機械室カバーを螺子固定したものがある（例えば、特許文献１参照）。
【０００３】
以下、図面を参照しながら、上記従来の冷蔵庫について説明する。
【０００４】
図９は、従来の冷蔵庫の機械室背面斜視図、図１０は従来の冷蔵庫の機械室カバー取り付け前の機械室背面図、図１１は従来の冷蔵庫の機械室平面図、図１２は従来の冷蔵庫の縦断面図である。
【０００５】
図９から図１２に示すように、冷蔵庫本体１の背面下部は、圧縮機載置板３２の上に圧縮機３１と蒸発皿３４、浸漬パイプ３５及び強制通風用送風機３６を配置した機械室９となっており、この機械室９の背面には取り外し可能な機械室カバー２５を備えている。
【０００６】
上記構成により、強制通風用送風機３６によって強制的に冷蔵庫本体底前部から取り入れられた外気は、凝縮器１１と熱交換して放熱を促進し、蒸発皿３４の上面を通過する。蒸発皿３４に貯留した除霜水は浸漬パイプ３５の加熱作用によって加熱され、同時に凝縮器１１と熱交換された温風の強制対流によって加熱及び通気が促進され、効率よく蒸発する。
【０００７】
また、蒸発皿３４の上面を通過した空気は、強制通風用送風機３６によって圧縮機３１側へ吐出され、高温状態の圧縮機３１を冷却する。その後、ダクト板１２に設けた空気吐出口より冷蔵庫本体１の前部または下方へ、また、機械室カバー２５の冷蔵庫本体１の背面左側傾斜部に設けた空気吐出口２６より冷蔵庫本体１の背面へ排熱されるため、冷蔵庫本体１の左右側面及び背面を壁で囲まれても放熱を阻害されることはない。
【特許文献１】特開２００２−２６７３５３号公報
【発明の開示】
【発明が解決しようとする課題】
【０００８】
しかしながら、上記従来の冷蔵庫では、機械室カバー２５を取り付けるための螺子の個数が増え、製造過程及び修理時での作業効率が悪いという課題を有している。
【０００９】
本発明は上記従来の課題を解決するものであり、機械室カバーの取り付け作業性を向上させた冷蔵庫を提供することを目的とする。
【課題を解決するための手段】
【００１０】
上記従来の課題を解決するために、本発明の冷蔵庫は、冷蔵庫本体の背面下部に形成した機械室の背面に、取り外し可能な機械室カバーを配置した冷蔵庫において、前記機械室カバーを前記冷蔵庫本体の背面に略平行にスライドさせて脱着可能にするガイドレールを備えたものである。
【００１１】
これによって、機械室カバーの取り付け螺子の個数を減らすことができ、機械室カバーの取り付けの作業性が向上する。
【発明の効果】
【００１２】
本発明の冷蔵庫は、機械室背面に取り外し可能な機械室カバーを備えたものにおいて、機械室カバーの取り付け螺子の個数を削減することができ、取り付け作業効率の向上と螺子の材料費を削減することが可能となる。
【発明を実施するための最良の形態】
【００１３】
請求項１に記載の発明は、冷蔵庫本体の背面下部に形成した機械室と、前記機械室の背面に機械室カバーとを備えた冷蔵庫であって、前記機械室カバーを前記冷蔵庫本体の背面に略平行にスライドさせて脱着可能にするガイドレールを備えたことにより、前記機械室カバーの取り付け螺子を削減することができ、取り付け作業効率の向上が可能となる。
【００１４】
請求項２に記載の発明は、請求項１に記載の発明において、前記冷蔵庫本体は外箱と内箱で構成される空間に断熱材が充填されてなり、前記ガイドレールを前記外箱と一体成形したことにより、あらたにガイドレール部品を必要とせず、安価な構造で作業効率の向上が図れる。
【００１５】
請求項３に記載の発明は、請求項１に記載の発明において、前記冷蔵庫本体は外箱と内箱で構成される空間に断熱材が充填されてなり、前記ガイドレールを前記外箱下部の左右に配置した補強用鉄板と一体成形したことにより、あらたにガイドレール部品を必要とせず、安価な構造で作業効率の向上が図れる。
【００１６】
請求項４に記載の発明は、請求項１から３のいずれか一項に記載の発明において、前記ガイドレールの上側開口端部に傾斜部を設けたことにより、前記機械室カバーを前記ガイドレールにスムーズにはめ込むことができ作業性が向上する。
【００１７】
請求項５に記載の発明は、請求項１から４のいずれか一項に記載の発明において、前記機械室カバーの下側端部を機械室側に曲折させたことにより、前記機械室カバーを前記ガイドレールにスムーズにはめ込むことができ作業性が向上する。
【００１８】
請求項６に記載の発明は、請求項１から５のいずれか一項に記載の発明において、前記機械室カバーの上下位置を規制する係止部を前記ガイドレール下側端部に設けたことにより、前記機械室カバーの位置決めを容易かつ確実に行える。
【００１９】
請求項７に記載の発明は、請求項１から６のいずれか一項に記載の発明において、前記機械室は圧縮機を載置して固定する圧縮機載置板を備え、前記機械室カバーの上下位置を規制する係止部を前記圧縮機載置板に設けたことにより、前記機械室カバーの位置決めを容易かつ確実に行える。
【００２０】
請求項８に記載の発明は、請求項１から７のいずれか一項に記載の発明において、前記機械室カバーの上下位置を規制する係止部を前記機械室カバーの上側端部に設けたことにより、前記機械室カバーの位置決めを容易かつ確実に行える。
【００２１】
請求項９に記載の発明は、請求項１から８のいずれか一項に記載の発明において、前記機械室カバーの前記ガイドレール側の端面を折り曲げ形状にしたことにより、前記機械室カバーの端面強度が増して変形が抑えられ、容易にはめ込みができる。
【００２２】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００２３】
（実施の形態１）
図１は本発明の実施の形態１における冷蔵庫の外観斜視図である。
【００２４】
図１において、冷蔵庫本体１は外箱８と内箱（図示せず）で構成される空間に断熱材が充填された断熱箱体で構成され、開閉ドア２を備えた冷蔵室３と、冷蔵室３の下方に配置される引き出し式ドア４を備えた野菜室５と、野菜室５の下方に配置される引き出し式ドア６を備えた冷凍室７を有し、冷蔵庫本体１の下部後方（背面下部）には機械室９が形成されている。
【００２５】
図２は同実施の形態の冷蔵庫の機械室部分の斜視図である。
【００２６】
図２において、機械室カバー２５の左右両端を挟む形で機械室カバー２５をスライドさせてはめ込むためのガイドレール１０は、外箱８と一体成形されている。
【００２７】
本実施の形態の冷蔵庫は、冷蔵庫本体１の背面下部に形成した機械室９と、機械室９の背面に機械室カバー２５とを備えた冷蔵庫であって、機械室カバー２５を冷蔵庫本体１の背面に略平行にスライドさせて脱着可能にするガイドレール１０を備えたことにより、機械室カバー２５の取り付け螺子を削減することができ、取り付け作業効率の向上が可能となる。
【００２８】
なお、本実施の形態の冷蔵庫は、ガイドレール１０を外箱８と一体成形したもので説明したが、外箱８の強度を高めるために、外箱８の下部の左右に配置した補強用鉄板にガイドレール１０を一体成形してもよい。この場合、あらたにガイドレール部品を必要とせず、安価な構造で作業効率の向上が図れる。
【００２９】
図３は同実施の形態の冷蔵庫のガイドレール上端部の拡大図、図４は同実施の形態の冷蔵庫におけるガイドレールに機械室カバーを挿入しようとしている状態の背面下部を示す背面図、図５は図４のＡ−Ａ断面図である。
【００３０】
図３から図５において、機械室カバー２５の取付け補助構造として、ガイドレール１０の上側開口端部には傾斜部１５、機械室カバー２５の下端部には機械室９側に傾斜面１６が設けられている。
【００３１】
図６は同実施の形態の冷蔵庫のガイドレール下端部の拡大図、図７は同実施の形態の冷蔵庫の圧縮機戴置板の要部拡大図、図８は同実施の形態の冷蔵庫の機械室カバーの上端部拡大図である。
【００３２】
図６から図８において、機械室カバー２５の上下方向を規制する構造として、ガイドレール１０の下端部に係止部１７、圧縮機戴置板３２の冷蔵庫背面側の端部に係止部１８、機械室カバー２５の左右上端部はＬ字型に曲げ加工された係止部１９が設けられている。
【００３３】
また、機械室カバー２５のガイドレール１０側の端面は折り曲げ処理されている。
【００３４】
上記構成において、以下動作、作用を説明する。
【００３５】
機械室カバー２５は、ガイドレール１０の上側開口部分よりスライドさせて取り付けられる。この際、ガイドレール１０の上側開口端部の傾斜部１５と、機械室カバー２５の下端部の傾斜面１６によって、機械室カバー２５がガイドレール１０へスムーズに案内されるため作業性が向上する。
【００３６】
次に、ガイドレール１０に沿ってはめ込まれた機械室カバー２５は、ガイドレール１０の係止部１７で下端部が当接することによって上下方向の所定位置で確実に固定される。
【００３７】
同様に、圧縮機戴置板３２の係止部１８と機械室カバー２５の下端部を当接させることによっても上下方向の位置決めが可能となる。また、機械室カバー２５の左右上端部の係止部１９とガイドレール１０の上端部を当接させることで上下方向の位置決めを行うことも可能である。これらの上下方向の位置決め構造は、いずれの構造を採用しても同等の結果が得られ、組み合わせて採用することでより確実な固定が実現できる。
【００３８】
さらに、機械室カバー２５のガイドレール１０側の端面は折り曲げ処理されているため、機械室カバー２５の曲げ剛性が大きくなり、はめ込む際に変形が抑えられてよりスムーズに作業できる。また、端面のエッジによる周囲部品への損傷も防げる。
【産業上の利用可能性】
【００３９】
以上のように、本発明にかかる冷蔵庫は、機械室カバー取り付け作業性の向上と螺子の個数を低減することができるため、カバーで保護する構造を有する冷蔵機器全般にも適用できる。
【図面の簡単な説明】
【００４０】
【図１】本発明の実施の形態１における冷蔵庫の外観斜視図
【図２】同実施の形態の冷蔵庫の機械室部分の斜視図
【図３】同実施の形態の冷蔵庫のガイドレール上端部の拡大図
【図４】同実施の形態の冷蔵庫におけるガイドレールに機械室カバーを挿入しようとしている状態の背面下部を示す背面図
【図５】図４のＡ−Ａ断面図
【図６】同実施の形態の冷蔵庫のガイドレール下端部の拡大図
【図７】同実施の形態の冷蔵庫の圧縮機戴置板の要部拡大図
【図８】同実施の形態の冷蔵庫の機械室カバーの上端部拡大図
【図９】従来の冷蔵庫の機械室の斜視図
【図１０】従来の冷蔵庫の機械室の背面図
【図１１】従来の冷蔵庫の機械室の平面図
【図１２】従来の冷蔵庫の断面図
【符号の説明】
【００４１】
１    冷蔵庫本体
９    機械室
１０  ガイドレール
１５  傾斜部
１６  傾斜面
１７  係止部
１８  係止部
１９  係止部
２５  機械室カバー
３２  圧縮機載置板
【図１】
2009079817.tif 000003
【図２】
2009079817.tif 000004
【図３】
2009079817.tif 000005
【図４】
2009079817.tif 000006
【図５】
2009079817.tif 000007
【図６】
2009079817.tif 000008
【図７】
2009079817.tif 000009
【図８】
2009079817.tif 000010
【図９】
2009079817.tif 000011
【図１０】
2009079817.tif 000012
【図１１】
2009079817.tif 000013
【図１２】
2009079817.tif 000014